(57)【特許請求の範囲】
【請求項１】
先端の軸ベースにヒンジ軸を有するアームを門柱から扉体側に突出するようにヒンジ一方の軸金具を門柱背面に配置し且つ上記ヒンジ軸を回動自在に被嵌するヒンジ軸受を有するヒンジ他方の軸受金具を扉体の吊元框に配置してこれら軸金具と軸受金具によるヒンジを介して門柱に扉体を吊支持した門扉であって，ヒンジ位置で上記軸金具のアームを挿通する挿通用開口を有して門柱背面を覆う門柱背面カバーを，同じくヒンジ位置で該アーム先端の軸ベースを回動する回動用開口を有してヒンジを覆う吊元框端部カバーをそれぞれ配置し且つ該吊元框端部カバーの上記回動用開口の下端と軸ベース下端間の空隙高さＢと上記ヒンジ軸の軸ベースからの起立高さＡの関係をＡ＞Ｂとしてなることを特徴とする門扉。
【請求項２】
上記門柱背面カバーを，門柱の背面に設置したヒンジ一方の軸金具より背面側の突出幅を大としたブラケットを介して門柱に配置してなることを特徴とする請求項１に記載の門扉。
【請求項３】
上記吊元框端部カバーを，内側カバー部材と外側カバー部材の２部材構成とし，その一方を吊元框又は軸受金具に先付けし，他方を該先付したカバー部材に後付けして吊元框に配置してなることを特徴とする請求項１又は２に記載の門扉。
【請求項４】
上記吊元框端部カバーを，吊元框の内側又は外側の一方で吊元框に一体成形し，残余の他方を吊元框の外側又は内側に配置してなることを特徴とする請求項１又は２に記載の門扉。
【請求項５】
上記ヒンジ一方の軸金具を，金具ケースにアームを進退調整自在に収納した調整金具とし，ヒンジ他方の軸受金具を吊元框固定片から起立片を介して先端に軸受を配置した平面Ｔ字状一体の金具としてなることを特徴とする請求項１，２，３又は４に記載の門扉。
【請求項６】
上記ヒンジ一方の軸金具を，金具ケースにアームを進退調整自在に収納した調整金具とし，ヒンジ他方の軸受金具を吊元框固定片の先端に軸受を配置した四分音符状一体の金具としてなることを特徴とする請求項１又は２に記載の門扉。
【請求項７】
上記ヒンジ一方の軸金具を門柱正面に配置し，上記門柱背面を覆う門柱背面カバーに代えて，門柱正面を覆う門柱正面カバーを用いてなることを特徴とする請求項１，２，３，４，５又は６に記載の門扉。
・       
【発明の詳細な説明】
【技術分野】
【０００１】
本発明は門扉に関し，特にヒンジの露出を防止したヒンジ被覆の門扉に関する。
【背景技術】
【０００２】
この種の門扉は，先端の軸ベースにヒンジ軸を有するアームを門柱から扉体側に突出するようにヒンジ一方の軸金具を門柱背面に配置し且つ上記ヒンジ軸を回動自在に被嵌するヒンジ軸受を有するヒンジ他方の軸受金具を扉体の吊元框に配置してこれら軸金具と軸受金具によるヒンジを介して門柱に扉体を吊支持したものとされ，このとき軸金具は，例えば，下記の特許文献に示されるように，金具ケースにアームを進退調整自在に収納した調整金具，より具体的には，上下に固定片を突設した金具ケースと，先端に軸ベースを，後端に該金具ケースに進退自在に配置した嵌挿部を有するアームと，金具ケースの一方に配置した側壁から嵌挿部の後端に螺入したネジによって該嵌挿部を進退することによってアームの突出幅を調整する調整ネジと，金具ケースに螺装して嵌挿部に対して直交配置してアーム位置を固定する固定ネジとを備えた調整金具を用いることが多く，この場合，上記金具ケースの固定片に透設したネジ透孔から門柱の背面板に上下各２ヶ所のネジ止めを行ってその門柱背面への固定を行うものとされる。
【０００３】
一方下記文献に明瞭には示されないが，軸受金具は，例えば固定板と，該固定板から門柱側に膨出するように配置し，中央にヒンジ軸受を透設又は穿孔したものとされ，固定板を扉体の吊元框の背面に，同じく上下各２ヶ所のネジ止めを行ってその扉体への固定を行うものとされる。
【０００４】
【特許文献１】特開２００２−１２９８２２号公報
【発明の開示】
【発明が解決しようとする課題】
【０００５】
この場合，門柱に対する扉体の吊支持は，門柱に配置したヒンジ一方の軸金具，例えば調整金具のヒンジ軸に，扉体に配置したヒンジ他方の軸受金具のヒンジ軸受を被嵌することによってヒンジを形成するように，扉体を持ち上げてそのヒンジ軸受をヒンジ軸に落し込む如くに，該扉体を下方に降下すればよく，従って扉体設置の作業上の難点もないし，門扉として扉体の開閉もヒンジによってスムーズになし得て，使い勝手上の難点もない。
【０００６】
しかし乍ら，この場合ヒンジをなす軸金具，例えば調整金具と軸受金具が門柱の背面，扉体の吊元框の背面にそれぞれ露出することによって，特に内外方向の内側の外観を損うものとなる傾向があり，更に，上記扉体設置の作業と逆に，扉体を持ち上げると，軸受金具のヒンジ軸受が，軸金具，例えば調整金具のヒンジ軸から外れる結果，軸金具，軸受金具のネジ止めを解除するまでもなく，扉体を門柱から取外して持ち去られる可能性があり，特に各種要因によって金属価格，特にアルミ製の門扉が一般化している中でアルミ価格が上昇すると，扉体が盗難に遭う可能性が増大することにもなる。
【０００７】
本発明はかかる事情に鑑みてなされたものであって，その解決課題とするところは，ヒンジ及びこれを形成する軸金具と軸受金具の露出を防止して外観を良好とするとともに扉体の盗難可能性を可及的に解消し得るようにした門扉を提供するにある。
【課題を解決するための手段】
【０００８】
上記課題に沿って本発明は，ヒンジ一方の軸部材を配置した門柱に該軸部材を含めて門柱背面を被覆する門柱背面カバーを，またヒンジ他方の軸受部材を配置した扉体の吊元框に該吊元框側でヒンジ，特にヒンジの軸支部分を被覆する吊元框端部カバーをそれぞれ配置することによって，ヒンジを介した門柱に対する扉体の吊支持を妨げることなく，ヒンジの露出を防止して良好な外観を確保する一方，吊元框端部カバーを配置することによって該吊元框端部カバーには，扉体の開閉に伴うヒンジ，特にヒンジ軸を起立した軸ベースの回動を許容する上で必要な回動用の開口とヒンジ軸との関係を規制することによって，門柱背面カバー及び吊元框端部カバーの配置状態で，扉体を持上げようとしても該回動用開口とヒンジ軸の関係から，扉体の持ち上げを不能として，その盗難の可能性を可及的に解消したものであって，即ち請求項１に記載の発明を，先端の軸ベースにヒンジ軸を有するアームを門柱から扉体側に突出するようにヒンジ一方の軸金具を門柱背面に配置し且つ上記ヒンジ軸を回動自在に被嵌するヒンジ軸受を有するヒンジ他方の軸受金具を扉体の吊元框に配置してこれら軸金具と軸受金具によるヒンジを介して門柱に扉体を吊支持した門扉であって，ヒンジ位置で上記軸金具のアームを挿通する挿通用開口を有して門柱背面を覆う門柱背面カバーを，同じくヒンジ位置で該アーム先端の軸ベースを回動する回動用開口を有してヒンジを覆う吊元框端部カバーをそれぞれ配置し且つ該吊元框端部カバーの上記回動用開口の下端と軸ベース下端間の空隙高さＢと上記ヒンジ軸の軸ベースからの起立高さＡの関係をＡ＞Ｂとしてなることを特徴とする門扉としたものである。
【０００９】
請求項２に記載の発明は，上記に加えて，門柱背面に設置したブラケットを介して，例えばネジ止め等の比較的簡易な固定手段によって，煩雑な作業の発生を可及的に防止して，門柱に対する背面カバーの配置をなし得るものとするように，これを，上記門柱背面カバーを，門柱の背面に設置したヒンジ一方の軸金具より背面側の突出幅を大としたブラケットを介して門柱に配置してなることを特徴とする請求項１に記載の門扉としたものである。
【００１０】
請求項３に記載の発明は，同じく上記に加えて，吊元框端部カバーを内外２部材の構成として，これらを順次吊元框の端部に配置することによって，同じく煩雑な作業の発生を可及的に防止して，吊元框端部カバーの配置をなし得るものとするように，これを，上記吊元框端部カバーを，内側カバー部材と外側カバー部材の２部材構成とし，その一方を吊元框又は軸受金具に先付けし，他方を該先付したカバー部材に後付けして吊元框に配置してなることを特徴とする請求項１又は２に記載の門扉としたものである。
【００１１】
請求項４に記載の発明は，同じく上記に加えて，吊元框端部カバーの内外一方を吊元框に一体成形し，内外他方を吊元框に配置することによって，同様に煩雑な作業の発生を可及的に防止して，吊元框に対する吊元框端部カバーの配置をなし得るものとするように，これを，上記吊元框端部カバーを，吊元框の内側又は外側の一方で吊元框に一体成形し，残余の他方を吊元框の外側又は内側に配置してなることを特徴とする請求項１又は２に記載の門扉としたものである。
【００１２】
請求項５及び６に記載の発明は，同じく上記に加えて，それぞれ上記ヒンジ一方の軸金具を調整金具として，門柱に対する扉体の傾斜角度の調整とこれによる扉体の良好な納まりを確保するとともに該調整金具とヒンジを形成するヒンジ他方の軸受金具を可及的簡易な構成として且つヒンジの軸心と吊元框の中心線を自ずと一致する好ましい形態のものとするように，請求項５に記載の発明を，上記ヒンジ一方の軸金具を，金具ケースにアームを進退調整自在に収納した調整金具とし，ヒンジ他方の軸受金具を吊元框固定片から起立片を介して先端に軸受を配置した平面Ｔ字状一体の金具としてなることを特徴とする請求項１，２，３又は４に記載の門扉とし，請求項６に記載の発明を，上記ヒンジ一方の軸金具を，金具ケースにアームを進退調整自在に収納した調整金具とし，ヒンジ他方の軸受金具を吊元框固定片の先端に軸受を配置した四分音符状一体の金具としてなることを特徴とする請求項１又は２に記載の門扉としたものである。
【００１３】
請求項７に記載の発明は，同じく上記に加えて，上記背面カバーは，これを外観の良好な形態とすることによって，門柱の正背面を逆にして，該背面カバーを正面カバーとして正面に位置するように設置して使用し得るものとするように，これを，上記ヒンジ一方の軸金具を門柱正面に配置し，上記門柱背面を覆う門柱背面カバーに代えて，門柱正面を覆う門柱正面カバーを用いてなることを特徴とする請求項１，２，３，４，５又は６に記載の門扉としたものである。
【００１４】
本発明はこれらをそれぞれ発明の要旨として上記課題解決の手段としたものである。
【発明の効果】
【００１５】
本発明は以上のとおりに構成したから，請求項１に記載の発明は，ヒンジ一方の軸部材を配置した門柱に該軸部材を含めて門柱背面を被覆する門柱背面カバーを，またヒンジ他方の軸受部材を配置した扉体の吊元框に該吊元框側でヒンジ，特にヒンジの軸支部分を被覆する吊元框端部カバーをそれぞれ配置することによって，ヒンジを介した門柱に対する扉体の吊支持を妨げることなく，ヒンジの露出を防止して良好な外観を確保する一方，吊元框端部カバーを配置することによって該吊元框端部カバーには，扉体の開閉に伴うヒンジ，特にヒンジ軸を起立した軸ベースの回動を許容する上で必要な回動用の開口とヒンジ軸との関係を規制することによって，門柱背面カバー及び吊元框端部カバーの配置状態で，扉体を持上げようとしても該回動用開口とヒンジ軸の関係から，扉体の持ち上げを不能として，その盗難の可能性を可及的に解消した門扉を提供することができる。
【００１６】
請求項２に記載の発明は，上記に加えて，門柱背面に設置したブラケットを介して，例えばネジ止め等の比較的簡易な固定手段によって，煩雑な作業の発生を可及的に防止して，門柱に対する背面カバーの配置をなし得るものとすることができる。
【００１７】
請求項３に記載の発明は，同じく上記に加えて，吊元框端部カバーを内外２部材の構成として，これらを順次吊元框に配置することによって，同じく煩雑な作業の発生を可及的に防止して，吊元框端部カバーの配置をなし得るものとすることができる。
【００１８】
請求項４に記載の発明は，同じく上記に加えて，吊元框端部カバーの内外一方を吊元框に一体成形し，内外他方を吊元框に配置することによって，同様に煩雑な作業の発生を可及的に防止して，吊元框に対する吊元框端部カバーの配置をなし得るものとすることができる。
【００１９】
請求項５及び６に記載の発明は，同じく上記に加えて，それぞれ上記ヒンジ一方の軸金具を調整金具として，門柱に対する扉体の傾斜角度の調整とこれによる扉体の良好な納まりを確保するとともに該調整金具とヒンジを形成するヒンジ他方の軸受金具を可及的簡易な構成として且つヒンジの軸心と吊元框の中心線を自ずと一致する好ましい形態のものとすることができる。
【００２０】
請求項７に記載の発明は，同じく上記に加えて，上記背面カバーは，これを外観の良好な形態とすることによって，門柱の正背面を逆にして，該背面カバーを正面カバーとして正面に位置するように設置して使用することができる。
【発明を実施するための最良の形態】
【００２１】
以下図面の例に従って本発明を更に具体的に説明すれば，図１乃至図７において，１は，例えばアルミ製とした，両開きの門扉であり，該門扉１は，先端の軸ベース５４にヒンジ軸５５を有するアーム５３を門柱２から扉体３側に突出するようにヒンジ一方の軸金具５を門柱２背面に配置し且つ上記ヒンジ軸５５を回動自在に被嵌するヒンジ軸受６４を有するヒンジ他方の軸受金具６を扉体３の吊元框３１に配置してこれら軸金具５と軸受金具６によるヒンジ４を介して門柱２に扉体３を吊支持したものとしてあり，このとき該門扉１は，ヒンジ４位置で上記軸金具５のアーム５３を挿通する挿通用開口７２を有して門柱２背面を覆う門柱背面カバー７を，同じくヒンジ４位置で該アーム５３先端の軸ベース５４を回動する回動用開口８６を有してヒンジ４を覆う吊元框端部カバー８をそれぞれ配置し且つ該吊元框端部カバー８の上記回動用開口８６の下端と軸ベース５４下端間の空隙高さＢと上記ヒンジ軸５５の軸ベース５４からの起立高さＡの関係をＡ＞Ｂとしたものとしてある。
【００２２】
本例の門扉１は，その門柱２を，正面側を幅狭に，背面側を幅広に，これらの幅方向端部を結ぶ側面を内側から外側に拡開するように拡開傾斜した断面台形状，本例にあっては両側面を拡開傾斜した幅方向に対称の台形をなすものとしてあり，これによって吊元側の側面に扉体受スペースを配置し，扉体３の開閉角度を外側に，例えば１００±５度とする一方，上記門柱背面カバー７を配置することによって該扉体３の内側の開閉角度を，該外側の開閉角度と同等，本例にあっては同じく１００±５度としてあり，従って扉体３は，内外双方向に押開き可能となり，車椅子使用者，介護者，身体障害者，高齢者等を含めて，道路に出るときも，道路から入るときも，錠を外して扉体３を進行方向に押すことによって出入りができ，従来の門扉の如くに，例えば，道路に出るときに，錠を外して，扉体を手持ちして車椅子を後退させ乍ら，扉体を開成し，再度扉体を手持ちして扉体を閉成し乍ら，車椅子を進行させるといった煩雑な動作を必要とすることなく，その開閉をなし得ることによって，使い勝手の極めて良好な門扉１としてある。
【００２３】
扉体３は，例えば，吊元框３１，戸先框及び上下の横框を框組するとともに該框組内に多数の縦小桟を配置した縦格子タイプのものとしてあり，本例にあって該扉体３は，例えば上下桟間に多数の縦小桟を起立配置した仕切パネルを框組内に装着することによって，これを形成してある。
【００２４】
ヒンジ４は，軸金具５と軸受金具６とを備えて形成してあり，このとき本例の軸金具５は，これを，金具ケース５１にアーム５３を進退調整自在に収納した調整金具としてあり，本例にあって該軸金具５は，門柱２の幅広の背面に添設固定する金具ケース５１，該金具ケース５１に幅方向突出幅調整自在に配置したアーム５３，該アーム５３の先端に配置した軸ベース５４及び該軸ベース５４上に起立配置したヒンジ軸５５を備えた調整金具によるものとしてある。
【００２５】
該軸金具５の門柱２背面への配置は，例えば金具ケース５１の上下に突設した固定片の幅方向各２ヶ所の透孔から門柱の背面板の透孔を介して，その裏面に配置した裏板２２の雌ネジに螺入することによって，該金具ケース５１をネジ５６止めすることによって，これを行ってある。該ネジ５６止めは，固定片の幅方向各２ヶ所で行うものとしてあるが，本例にあって背面板及び裏板２２には，それぞれ幅方向に３ヶ所の透孔及び雌ネジを配置し，その中央を共通にして幅方向一方を選択的に使用して，金具ケース５１を上下に反転し，上記アーム５３を左右に反転して，調整金具とした軸部材５の向きを変更した固定を行うように左右勝手を自在としてある。
【００２６】
一方軸受金具６は，吊元框３１の門柱側端部の端部受座３２，即ち側面板に添設固定したベース６１，該ベース６１の内外方向中央位置に門柱２側に向けて突設した突出片６３及び該突出片６３の先端に内外方向に膨出するように配置した軸受６４を備えた平面Ｔ字状の一体のものとしてあり，該軸受金具６の吊元框３１への配置は，ベース６１に透設した透孔からのネジ６２を，吊元框３１の端部受座３２をなす側面板の透孔を介して，該側面板の裏面に配置した裏板３３の雌ネジに螺入することによって，該ベース６１をネジ６２止めすることによって，上記軸金具５と同様にこれを行ってある。このように平面Ｔ字状とした軸受金具６を用いることによって，該軸受金具６を吊元框３１から門柱２側に突出してヒンジ軸５５にヒンジ軸受６４を被嵌するようにして，ヒンジ４の軸心と内外方向中心線を同一線上に配置するとともにヒンジ４と吊元框３１の位置関係を規制して，該軸心から吊元框３１を離隔するように配置して，幅厚の吊元框３１が門柱２に近接することにより該吊元框３１のヒンジ側端部が門柱２に当る可能性を可及的に解消して，扉体３の吊支持を内外双方向の開閉を行うに適したものとしてある。
【００２７】
門柱背面カバー７及び吊元框端部カバー８は，アルミ押出材に所定の加工を施して，門柱２の地表突出長さ乃至吊元框３１の長さに略等しく，これらの長手方向全長を実質的にカバーする長手方向に一体又は複数分割のものとしてある。
【００２８】
本例の門柱背面カバー７は，例えば門柱２背面よりやや小さめの幅を有して断面Ｕ字状に形成したものとしてあり，該門柱背面カバー７は，これを，門柱２の背面に設置したヒンジ一方の軸金具５より背面側の突出幅を大としたブラケット２４を介して門柱２に配置したものとしてある。即ちブラケット２４は，例えば側面Ｓ字状をなす屈曲金具によるものとし，該ブラケット２４の一方の垂直片を門柱の背面板に，裏板を用い又は用いることなくネジ止めし，他方の垂直片の雌ネジに門柱背面カバー７の透孔からネジを螺入して，その固定を行ってある。該ブラケット２４への門柱背面カバー７の固定は，これを，門柱２長手方向に複数箇所で行ってあり，このとき門柱背面カバー７の上端は，門柱２に配置したキャップ２３がその上端を同時に閉塞するようにしてあり，下端は門柱背面カバー７専用のキャップ７１で同じくこれを閉塞するものとしてある。
【００２９】
一方，本例の吊元框端部カバー８は，これを，内側カバー部材８１と外側カバー部材８４の２部材構成とし，その一方を吊元框３１又は軸受金具６，本例にあっては軸受金具６に先付けし，他方を該先付したカバー部材に後付けして吊元框３１に配置したものとしてあり，本例にあって内側カバー部材８１は，これを先付け用，外側カバー部材８４は，これを後付け用としてあり，これら２部材のカバー部材８１，８４は，その先端を軸金具５の軸ベース５４の外周の門柱側内外方向中央位置で突合せるようにして，ヒンジ４の内側及び外側をそれぞれ被覆するものとしてある。
【００３０】
本例の内側カバー部材８１及び外側カバー部材８４は，その外側面形状を内外方向に対称をなすようにするとともに吊元框側端部にそれぞれ対向するように外側及び内側に向けた係合突起を配置したものとする一方，内側カバー部材８１に，その幅方向中間位置に上記軸受金具６の突出片６３に対接する固定片８２を外側に向けて突設してその幅方向両端にスナップイン係止一方の係止条を配置し，また外側カバー部材８４に，同じくその幅方向中間位置に一対の脚片８５を内側に向けて突設してその先端にスナップイン係止他方の係止条を配置したものとしてある。
【００３１】
従って本例に吊元框端部カバー８は，その内側カバー部材８１の吊元側端部に配置した係合突起を，例えば軸受金具６のベース６１の内外面に段部を形成することによって吊元框３１との間に形成した係合溝に係合するとともに軸受金具６の突出片６３に固定片８２を対接し，外側，即ち突出片６３からのネジ８３を固定片８２に螺入して，該内側カバー部材８１を該軸受金具６に先付し，その後に外側カバー部材８４を，同じくその係合突起を係合溝に係合し，固定片８２に一対の脚片８５をスナップイン係止することによって，その吊元框３１の端部への配置を行ったものとしてある。
【００３２】
このように門柱背面カバー７及び吊元框端部カバー８を配置したから，上記吊元框２１から門柱２側に突出配置した軸受金具６を用いて幅広のヒンジ４とすることによって門柱２と吊元框３１間に形成される幅広の空隙を閉塞して門柱２と扉体３が近接した外観を呈するものとなり，該扉体３を内外双方向に押開き開成するように構成しながら，従来の門扉におけると同様に扉体３の良好な納まり外観を確保したものとすることができる。
【００３３】
このとき門柱背面カバー７及び吊元框端部カバー８，本例にあってその内側カバー部材８１及び外側カバー部材８４は，それぞれヒンジ４位置で上記アーム５３の挿通用開口７２，軸ベース５４の回動用開口８６を備えたものとしてあり，本例のこれら開口７２，８６は，門柱背面カバー７においてその扉体３側の片側端部から，吊元框端部カバー８において，その内側カバー部材８１及び外側カバー部材８４の突合せ先端において切欠き加工を施して，その配置を行ってある。該挿通用開口７２は，アーム５３の高さと幅に応じて，そのアーム５３の上下調整分，即ち扉体３の傾斜調整によるアーム５３の上下動幅，本例にあっては更に後述の開口カバー７３の設置厚さを見込んだ大きさのものとし，また回動用開口８６は，門扉１の内外双方向の開閉角度に応じて内外方向に各１００±５度に，本例にあっては後述の開口カバー８７の設置厚さを加えた開口幅を有し且つ軸金具５の軸ベース５４の高さに同じくアーム５３の上下調整動による余裕高さを見込んだ高さを有するものとしてある。
【００３４】
該切欠き加工による切欠き加工の端縁が露出すると，手を切る等の可能性があるため，本例にあっては該切欠き部を被覆して，該端縁の露出を避けるように，例えばアルミ鋳物，樹脂等の成形部品による開口カバー７３，８７を設置してあり，該開口カバー７３，８７は，門柱背面カバー７にあってその切欠き加工部位を覆うコ字状にしてその開口端を門柱背面に突き当て当接してその配置を行い，また吊元框端部カバー８にあって，内側カバー部材８１及び外側カバー部材８４の切欠き加工部位を連続的に覆う平面湾曲のものとしてある。
【００３５】
このように形成した門柱背面カバー７は門柱に軸金具５，本例にあっては調整金具を設置した後に，その挿通用開口７２からそのアーム５３が扉体３側に突出するように該門柱２に固定し，また吊元框端部カバー８は，軸金具５のヒンジ軸５５にヒンジ軸受６４を被嵌し，ヒンジ４を介して門柱２に扉体３を吊支持した後に，該吊元框３１から門柱２側に突設したヒンジ４を被覆し，回動用開口８６に上記アーム５３先端の軸ベース５４を受け入れた状態で，上記軸受金具６に対して固定するようにしてあり，これによって吊元框端部カバー８の回動用開口８６が，軸金具５の軸ベース５４の回動を許容し，扉体３の内外双方向の開閉を許容するものとしてある。
【００３６】
該回動用開口８６は，その高さを規制するとともに，その回動用開口８６の下端と軸ベース５４下端間の空隙高さＢ，即ち回動用開口８６下端に配置した空隙の高さＢとヒンジ軸５５の軸ベース５４からの起立高さＡの関係をＡ＞Ｂとして，ヒンジ４のヒンジ軸５５における軸ベース５４からの起立高さＡより小さく設定することによって，上記扉体３を門柱２に吊支持して，吊元框端部カバー８を付した状態で，扉体３の傾斜調整を可能とするとともに扉体３を持ち上げようとしても，該持ち上げを該高さの差異Ｂの範囲で許容するも，ヒンジ４を介した扉体３の吊支持の状態を維持して，該扉体３を門柱２から取り外すことができないようにして，該扉体３の盗難を防止するようにしてある。
【００３７】
即ち該回動用開口８６は，ヒンジ４を介した扉体３の開閉のために，これを上下に大きく開口すること，ヒンジ軸受６４を含むヒンジ４の全体を受け入れるように高さをヒンジ４と同等，それ以上乃至それ以下のものとすること，軸ベース５４を受け入れる場合でも，該軸ベース５４をヒンジ軸５５より高く設定すること等，回動用開口８６の形態はこれを様々のものとすることができるし，これらによって扉体３の開閉を阻害することはないが，回動用開口８６に軸金具５の軸ベース５４を受け入れ且つ該開口８６の下端と軸ベース５４の下端間の空隙高さＢを，扉体３の傾斜調整を可能としながら，その拡大を可及的に防止するように比較的小さく設定することにより，上記良好な納まり外観を確保した門柱背面カバー７と吊元框端部カバー８に，そのデザインを損なうことなく且つ違和感のない回動用開口を配置することができる。
【００３８】
図中２１は，門柱２の側面を拡開傾斜するについて，その背面板からの基点をその内側とするように該背面板端部から対向方向に傾斜配置した傾斜連結部を示す。
【００３９】
図８は，他の例の軸受金具６を用いてヒンジ４を形成した場合を示すもので，本例にあって該軸受金具６は，これを，吊元框３１の門柱２側に向けて突出形成した突出受座３２に添設固定したベース６１，該ベース６１の先端に配置したヒンジ軸受６４を備えて平面倒四分音符状に形成したものとして，上記平面Ｔ字状の軸受金具と同様に，吊元框３１から門柱２側に突出して，ヒンジ４の軸心と内外方向中心線の同一線上の配置及びヒンジ４と吊元框３１の位置関係の規制を行うものとしてある。このとき該軸受金具６とヒンジ４を形成する軸金具５の調整金具は，これをアーム５３先端にヒンジ軸５５を備えた上記例のものと同一のものを用いてある。
【００４０】
このとき本例の吊元框端部カバー８は，これを，吊元框３１の内側又は外側の一方で吊元框３１に一体成形し，残余の他方を吊元框３１の外側又は内側に配置したものとしてあり，即ち本例にあって吊元框３１は，その門柱２側の外側面を，上記外側カバー部材８４と同様の形状をなすものとして，吊元框３１の外側に外側カバー部材８４を一体に成形するとともに側面板の内外方向中間位置から門柱側に向けた突出受座３２を突出形成したものとしてあり，該内側に内側カバー部材８１を配置し，上記吊元框３１に一体配置の外側カバー部材８４と該内側カバー部材８１の吊元框端部カバー８で軸受金具６を覆うようにしてある。
【００４１】
本例の軸受金具６は，その上記ベース６１を該突出受座３２の内側面に対接して，ベース６１からのネジ６２を該突出受座３２の透孔を介してその裏面に配置した裏板３３の雌ネジに螺入固定するとともにその先端に膨出するように配置したヒンジ軸受６４がベース６１の外側に位置するように配置することによって，該吊元框３１の内外方向中心線が軸受金具の軸心と同一線上に位置するようにしてある。
【００４２】
一方，上記吊元框端部カバー８の内側カバー部材８１は，吊元框３１における側面板の内側端部と該内側カバー部材８１の吊元側端部にそれぞれスナップイン係止一方及び他方の係止条を配置してこれらをスナップイン係止して，吊元框３１に片持ち状に固定するとともにその先端をヒンジ軸受６４の外周に沿って湾曲してその先端を上記吊元框３１に一体配置の外側カバー部材８４の先端と重合するように配置してあり，このときこれら内側カバー部材８１及び外側カバー部材８４による該吊元框端部カバー８は，その断面形状乃至外観を上記例におけるものと略等しくするように形成してある。
【００４３】
その余は上記例と変らないので同一符合を付して重複する説明を省略する。
【００４４】
以上のように形成した門扉１は，その扉体３を内外双方向いずれも押開き開閉して出入可能となり，車椅子使用者，介助者，身体障害者，高齢者等を含めて，扉体の開閉を可及的に容易になし得て，使い勝手と良好な納まり外観を確保した内外押開き門扉とすることができるとともに扉体３の持ち上げを規制して，その盗難を確実に防止することができる。
【００４５】
図示した例は以上のとおりとしたが，上記ヒンジ一方の軸金具を門柱正面に配置し上記門柱背面を覆う門柱背面カバーに代えて，門柱正面を覆う門柱正面カバーを用いて，該門柱の正背面を逆に設置使用するようにすること，扉体の開閉を内側に９０度とした門扉とすること，吊元框端部カバーを吊元框に対して固定するようにすること，扉体の外側に向けた開閉角度１００±５度とし，内側に向けた開閉角度を該外側に向けた開閉角度以上のものとして，内外の開閉角度を変化すること，門柱の片側側面を拡開傾斜して，該拡開傾斜の側面側に扉体を吊支持するようにすること等を含めて，本発明の実施に当って，門柱，扉体，ヒンジ，軸金具，軸受金具，門柱背面カバー，吊元框端部カバー等の各具体的形状，構造，材質，これらの関係，これらに対する付加，門柱乃至門扉の設置形態等は，上記発明の要旨に反しない限り様々な形態のものとすることができる。
【図面の簡単な説明】
【００４６】
【図１】門扉の背面図である。
【図２】門扉片側の拡大背面図である。
【図３】ヒンジ部分の拡大背面図である。
【図４】門柱への扉体吊支持状態を示す部分拡大断面図である。
【図５】扉体の内外双方向への開閉状態を示す部分拡大断面図である。
【図６】他の例にかかる門柱への扉体吊支持状態を示す部分拡大断面図である。
【図７】門柱上部を示す斜視図である。
【図８】ヒンジ部分の斜視図である。
【符号の説明】
【００４７】
１  門扉
２  門柱
２１  傾斜連結板
２２  裏板
２３  キャップ
２４  ブラケット
３  扉体
３１  吊元框
３２  端部受座
３３  裏板
４  ヒンジ
５  軸金具
５１  金具ケース
５２  固定片
５３  アーム
５４  軸ベース
５５  ヒンジ軸
５６  ネジ
６  軸受金具
６１  ベース
６２  ネジ
６３  突出片
６４  ヒンジ軸受
７  門柱背面カバー
７１  キャップ
７２  挿通用開口
７３  開口カバー
８  吊元框端部カバー
８１  内側カバー部材
８２  固定片
８３  ネジ
８４  外側カバー部材
８５  脚片
８６  回動用開口
８７  開口カバー
【図１】
0004933985.tif 000002
【図２】
0004933985.tif 000003
【図３】
0004933985.tif 000004
【図４】
0004933985.tif 000005
【図５】
0004933985.tif 000006
【図６】
0004933985.tif 000007
【図７】
0004933985.tif 000008
【図８】
0004933985.tif 000009